【手続補正書】
【提出日】平成24年12月6日(2012.12.6)
【手続補正１】
【補正対象書類名】特許請求の範囲
【補正対象項目名】全文
【補正方法】変更
【補正の内容】
【特許請求の範囲】
【請求項１】
セルラ通信システムにおいてデータを送信する方法であって、
送信のために利用可能なラジオ・リソースで、複数の異なるブロードキャスト・サービスまたはマルチキャスト・サービスのためのデータと、ユニキャスト・サービスのためのデータとを多重化することと、
所与のスケジューリング期間における送信用のデータを有する前記複数の異なるブロードキャスト・サービスまたはマルチキャスト・サービスの各々に対する異なる時間周波数ブロックの割り当てを示すスケジューリング情報を、各々が複数のサブフレームを含む複数のスケジューリング期間の各々のために、定期的に送信することと
を備える方法。
【請求項２】
前記所与のスケジューリング期間における送信用のデータを有する複数の異なるブロードキャスト・サービスまたはマルチキャスト・サービスに割り当てられた異なる時間周波数ブロックは、前記所与のスケジューリング期間における前記複数のサブフレームの異なるセットを含む、請求項１に記載の方法。
【請求項３】
前記サブフレームの異なるセットは、少なくとも部分的に重複する、請求項２に記載の方法。
【請求項４】
前記所与のスケジューリング期間における送信用のデータを有する複数の異なるブロードキャスト・サービスまたはマルチキャスト・サービスに割り当てられた異なる時間周波数ブロックは、前記所与のスケジューリング期間における異なる周波数を含む、請求項１に記載の方法。
【請求項５】
前記異なる周波数は、少なくとも部分的に重複する、請求項４に記載の方法。
【請求項６】
セルラ通信システムにおいてデータを受信する方法であって、
所与のスケジューリング期間における送信用のデータを有する複数の異なるブロードキャスト・サービスまたはマルチキャスト・サービスの各々に対する異なる時間周波数ブロックの割り当てを示すスケジューリング情報を、各々が複数のサブフレームを含む複数のスケジューリング期間の各々のために、定期的に受信することと、
前記複数のスケジューリング期間のうちの少なくとも１つのために、前記異なるブロードキャスト・サービスまたはマルチキャスト・サービスのうちの少なくとも１つを選択することと、
前記少なくとも１つのスケジューリング期間のために選択されたブロードキャスト・サービスまたはマルチキャスト・サービスを、前記少なくとも１つのスケジューリング期間内の、それらの各々の時間周波数ブロックで、モニタリングすることと
を備える方法。
【請求項７】
前記所与のスケジューリング期間における送信用のデータを有する複数の異なるブロードキャスト・サービスまたはマルチキャスト・サービスに割り当てられた異なる時間周波数ブロックは、前記所与のスケジューリング期間における前記複数のサブフレームの異なるセットを含む、請求項６に記載の方法。
【請求項８】
前記サブフレームの異なるセットは、少なくとも部分的に重複する、請求項７に記載の方法。
【請求項９】
前記所与のスケジューリング期間における送信用のデータを有する複数の異なるブロードキャスト・サービスまたはマルチキャスト・サービスに割り当てられた異なる時間周波数ブロックは、前記所与のスケジューリング期間における異なる周波数を含む、請求項６に記載の方法。
【請求項１０】
前記異なる周波数は、少なくとも部分的に重複する、請求項９に記載の方法。
【請求項１１】
セルラ通信システムにおいてデータを送信するように構成された装置であって、
送信のために利用可能なラジオ・リソースで、複数の異なるブロードキャスト・サービスまたはマルチキャスト・サービスのためのデータと、ユニキャスト・サービスのためのデータとを多重化する手段と、
所与のスケジューリング期間における送信用のデータを有する前記複数の異なるブロードキャスト・サービスまたはマルチキャスト・サービスの各々に対する異なる時間周波数ブロックの割り当てを示すスケジューリング情報を、各々が複数のサブフレームを含む複数のスケジューリング期間の各々のために、定期的に送信する手段と
を備える装置。
【請求項１２】
セルラ通信システムにおいてデータを送信するように構成された装置であって、
送信のために利用可能なラジオ・リソースで、複数の異なるブロードキャスト・サービスまたはマルチキャスト・サービスのためのデータと、ユニキャスト・サービスのためのデータとを多重化するように構成された少なくとも１つのプロセッサと、
所与のスケジューリング期間における送信用のデータを有する前記複数の異なるブロードキャスト・サービスまたはマルチキャスト・サービスの各々に対する異なる時間周波数ブロックの割り当てを示すスケジューリング情報を、各々が複数のサブフレームを含む複数のスケジューリング期間の各々のために、定期的に送信するように構成された送信機と
を備える装置。
【請求項１３】
セルラ通信システムにおいてデータを受信するように構成された装置であって、
所与のスケジューリング期間における送信用のデータを有する複数の異なるブロードキャスト・サービスまたはマルチキャスト・サービスの各々に対する異なる時間周波数ブロックの割り当てを示すスケジューリング情報を、各々が複数のサブフレームを含む複数のスケジューリング期間の各々のために、定期的に受信する手段と、
前記複数のスケジューリング期間のうちの少なくとも１つのために、前記異なるブロードキャスト・サービスまたはマルチキャスト・サービスのうちの少なくとも１つを選択する手段と、
前記少なくとも１つのスケジューリング期間のために選択されたブロードキャスト・サービスまたはマルチキャスト・サービスを、前記少なくとも１つのスケジューリング期間内の、それらの各々の時間周波数ブロックで、モニタリングする手段と
を備える装置。
【請求項１４】
セルラ通信システムにおいてデータを受信するように構成された装置であって、
所与のスケジューリング期間における送信用のデータを有する複数の異なるブロードキャスト・サービスまたはマルチキャスト・サービスの各々に対する異なる時間周波数ブロックの割り当てを示すスケジューリング情報を、各々が複数のサブフレームを含む複数のスケジューリング期間の各々のために、定期的に受信するように構成された受信機と、
前記複数のスケジューリング期間のうちの少なくとも１つのために、前記異なるブロードキャスト・サービスまたはマルチキャスト・サービスのうちの少なくとも１つを選択するように構成された少なくとも１つのプロセッサとを備え、
前記受信機は、前記少なくとも１つのスケジューリング期間のために選択されたブロードキャスト・サービスまたはマルチキャスト・サービスを、前記少なくとも１つのスケジューリング期間内の、それらの各々の時間周波数ブロックで、モニタリングするようにさらに構成されている、装置。
【請求項１５】
記憶された命令を含むコンピュータ読取可能な媒体であって、前記命令は、
少なくとも１つのコンピュータに、送信のために利用可能なラジオ・リソースで、複数の異なるブロードキャスト・サービスまたはマルチキャスト・サービスのためのデータと、ユニキャスト・サービスのためのデータとを多重化させるコードと、
前記少なくとも１つのコンピュータに、所与のスケジューリング期間における送信用のデータを有する前記複数の異なるブロードキャスト・サービスまたはマルチキャスト・サービスの各々に対する異なる時間周波数ブロックの割り当てを示すスケジューリング情報を、各々が複数のサブフレームを含む複数のスケジューリング期間の各々のために、定期的に送信させるコードと
を備える、コンピュータ読取可能な媒体。
【請求項１６】
記憶された命令を含むコンピュータ読取可能な媒体であって、前記命令は、
少なくとも１つのコンピュータに、所与のスケジューリング期間における送信用のデータを有する複数の異なるブロードキャスト・サービスまたはマルチキャスト・サービスの各々に対する異なる時間周波数ブロックの割り当てを示すスケジューリング情報を、各々が複数のサブフレームを含む複数のスケジューリング期間の各々のために、定期的に受信させるコードと、
前記少なくとも１つのコンピュータに、前記複数のスケジューリング期間のうちの少なくとも１つのために、前記異なるブロードキャスト・サービスまたはマルチキャスト・サービスのうちの少なくとも１つを選択させるコードと、
前記少なくとも１つのコンピュータに、前記少なくとも１つのスケジューリング期間のために選択されたブロードキャスト・サービスまたはマルチキャスト・サービスを、前記少なくとも１つのスケジューリング期間内の、それらの各々の時間周波数ブロックで、モニタリングさせるコードと
を備える、コンピュータ読取可能な媒体。
【請求項１７】
セルラ通信システムにおいてスケジューリング情報を送信する方法であって、
おのおののスケジューリング期間において、ブロードキャスト・サービスおよびマルチキャスト・サービスのためのスケジューリング情報をダウンリンクで定期的に送信することを備え、
前記スケジューリング情報は、前記ブロードキャスト・サービスまたはマルチキャスト・サービスによって使用される少なくとも１つの時間周波数ブロックを伝え、
前記方法はさらに、前記スケジューリング情報が次のスケジューリング期間において変わるか否かを示すフラグを前記ダウンリンクでおのおののスケジューリング期間において定期的に送信することを備える方法。
【請求項１８】
値タグに関連付けられたシステム情報の一部分で前記フラグを定期的に送信することと、
前記システム情報の一部分が変わる場合には常に前記値タグを更新することと
をさらに備える請求項１７に記載の方法。
【請求項１９】
セルラ通信システムにおいてスケジューリング情報を受信する方法であって、
前記第１のスケジューリング期間のためのスケジューリング情報を得るために、ダウンリンクで第１のスケジューリング期間において、サブフレームのブロックを復号することを備え、
前記スケジューリング情報は、前記第１のスケジューリング期間にブロードキャスト・サービスまたはマルチキャスト・サービスによって使用される少なくとも１つの時間周波数ブロックの少なくとも１つの位置を示す、前記第１のスケジューリング期間のための情報を含み、
前記方法はさらに、
第２のスケジューリング期間において、前記スケジューリング情報が変わるか否かを示すフラグを前記ダウンリンクで受信することと、
前記第２のスケジューリング期間において、前記スケジューリング情報が変わることを前記フラグが示すのであれば、前記第１のスケジューリング期間のためのスケジューリング情報を得るために、前記ダウンリンクで前記第２のスケジューリング期間において、サブフレームのブロックを復号することと、
前記第２のスケジューリング期間において、前記スケジューリング情報が変わらないと前記フラグが示すのであれば、前記第２にスケジューリング期間において前記サブフレームのブロックの復号をスキップすることとを備える方法。
【請求項２０】
値タグおよび前記フラグを備えるシステム情報の部分を受信することをさらに備え、
前記フラグを備えるシステム情報の部分が変わったと前記値タグが示す場合にのみ、前記フラグが受信され、前記スケジューリング情報が変わると前記フラグが示す場合にのみ、前記第２のスケジューリング期間のためのスケジューリング情報が受信される請求項１９に記載の方法。
【請求項２１】
前記第１及び第２のスケジューリング期間における前記サブフレームのブロックは、それぞれ、前記第１及び第２のスケジューリング期間における前記第１のＮ個のサブフレームに対応する請求項１９に記載の方法。
【請求項２２】
セルラ通信システムにおいてスケジューリング情報を送信するように構成された装置であって、
おのおののスケジューリング期間において、ブロードキャスト・サービスおよびマルチキャスト・サービスのためのスケジューリング情報をダウンリンクで定期的に送信する手段を備え、
前記スケジューリング情報は、前記ブロードキャスト・サービスまたはマルチキャスト・サービスによって使用される少なくとも１つの時間周波数ブロックを伝え、
前記装置はさらに、前記スケジューリング情報が次のスケジューリング期間において変わるか否かを示すフラグを前記ダウンリンクでおのおののスケジューリング期間において定期的に送信する手段を備える装置。
【請求項２３】
値タグに関連付けられたシステム情報の一部分で前記フラグを定期的に送信する手段と、
前記システム情報の一部分が変わる場合には常に前記値タグを更新する手段と
をさらに備える請求項２２に記載の装置。
【請求項２４】
セルラ通信システムにおいてスケジューリング情報を受信するように構成された装置あって、
前記第１のスケジューリング期間のためのスケジューリング情報を得るために、ダウンリンクで第１のスケジューリング期間において、サブフレームのブロックを復号する装置を備え、
前記スケジューリング情報は、前記第１のスケジューリング期間にブロードキャスト・サービスまたはマルチキャスト・サービスによって使用される少なくとも１つの時間周波数ブロックの少なくとも１つの位置を示す、前記第１のスケジューリング期間のための情報を含み、
前記装置はさらに、
第２のスケジューリング期間において、前記スケジューリング情報が変わるか否かを示すフラグを前記ダウンリンクで受信する手段と、
前記第２のスケジューリング期間において、前記スケジューリング情報が変わることを前記フラグが示すのであれば、前記第１のスケジューリング期間のためのスケジューリング情報を得るために、前記ダウンリンクで前記第２のスケジューリング期間において、サブフレームのブロックを復号する手段と、
前記第２のスケジューリング期間において、前記スケジューリング情報が変わらないと前記フラグが示すのであれば、前記第２にスケジューリング期間において前記サブフレームのブロックの復号をスキップする手段とを備える装置。
【請求項２５】
値タグおよび前記フラグを備えるシステム情報の部分を受信する手段をさらに備え、
前記フラグを備えるシステム情報の部分が変わったと前記値タグが示す場合にのみ、前記フラグが受信され、前記スケジューリング情報が変わると前記フラグが示す場合にのみ、前記第２のスケジューリング期間のためのスケジューリング情報が受信される請求項２４に記載の装置。
【請求項２６】
前記第１及び第２のスケジューリング期間における前記サブフレームのブロックは、それぞれ、前記第１及び第２のスケジューリング期間における前記第１のＮ個のサブフレームに対応する請求項２４に記載の装置。
【請求項２７】
セルラ通信システムにおいてスケジューリング情報を送信するように構成された装置であって、
おのおののスケジューリング期間において、ブロードキャスト・サービスおよびマルチキャスト・サービスのためのスケジューリング情報をダウンリンクで定期的に送信するように構成された少なくとも１つのプロセッサを備え、
前記スケジューリング情報は、前記ブロードキャスト・サービスまたはマルチキャスト・サービスによって使用される少なくとも１つの時間周波数ブロックに関する情報を伝え、
前記少なくとも１つのプロセッサは、前記スケジューリング情報が次のスケジューリング期間において変わるか否かを示すフラグを前記ダウンリンクでおのおののスケジューリング期間において定期的に送信するようにさらに構成された装置。
【請求項２８】
前記少なくとも１つのプロセッサは、
値タグに関連付けられたシステム情報の一部分で前記フラグを定期的に送信し、
前記システム情報の一部分が変わる場合には常に前記値タグを更新するようにさらに構成された請求項２７に記載の装置。
【請求項２９】
セルラ通信システムにおいてスケジューリング情報を受信するように構成された装置あって、
前記第１のスケジューリング期間のためのスケジューリング情報を得るために、ダウンリンクで第１のスケジューリング期間において、サブフレームのブロックを復号するように構成された少なくとも１つのプロセッサを備え、
前記スケジューリング情報は、前記第１のスケジューリング期間にブロードキャスト・サービスまたはマルチキャスト・サービスによって使用される少なくとも１つの時間周波数ブロックの少なくとも１つの位置を示す、前記第１のスケジューリング期間のための情報を含み、
前記少なくとも１つのプロセッサは、第２のスケジューリング期間において、前記スケジューリング情報が変わるか否かを示すフラグを前記ダウンリンクで受信するようにさらに構成され、
前記少なくとも１つのプロセッサは、前記第２のスケジューリング期間において、前記スケジューリング情報が変わることを前記フラグが示すのであれば、前記第１のスケジューリング期間のための前記スケジューリング情報を得るために、前記ダウンリンクで前記第２のスケジューリング期間において、サブフレームのブロックを復号するようにさらに構成され、
前記少なくとも１つのプロセッサは、前記第２のスケジューリング期間において、前記スケジューリング情報が変わらないと前記フラグが示すのであれば、前記第２にスケジューリング期間において前記サブフレームのブロックの復号をスキップするようにさらに構成された装置。
【請求項３０】
前記少なくとも１つのプロセッサは、値タグおよび前記フラグを備えるシステム情報の部分を受信するようにさらに構成され、
前記フラグを備えるシステム情報の部分が変わったと前記値タグが示す場合にのみ、前記フラグが受信され、前記スケジューリング情報が変わると前記フラグが示す場合にのみ、前記第２のスケジューリング期間のためのスケジューリング情報が受信される請求項２９に記載の装置。
【請求項３１】
前記第１及び第２のスケジューリング期間における前記サブフレームのブロックは、それぞれ、前記第１及び第２のスケジューリング期間における前記第１のＮ個のサブフレームに対応する請求項２９に記載の装置。
【請求項３２】
命令を記憶したコンピュータ読み取り可能記録媒体であって、セルラ通信システムにおいてスケジューリング情報を送信するように構成された装置によって実行される場合に前記装置に動作を実行させ、前記命令は、
少なくとも１つのコンピュータに、おのおののスケジューリング期間において、ブロードキャスト・サービスおよびマルチキャスト・サービスのためのスケジューリング情報をダウンリンクで定期的に送信させるコードを備え、
前記スケジューリング情報は、前記ブロードキャスト・サービスまたはマルチキャスト・サービスによって使用される少なくとも１つの時間周波数ブロックを伝え、
前記命令はさらに、前記少なくとも１つのコンピュータに、前記スケジューリング情報が次のスケジューリング期間において変わるか否かを示すフラグを前記ダウンリンクでおのおののスケジューリング期間において定期的に送信させるコードを備えるコンピュータ読み取り可能記録媒体。
【請求項３３】
命令を記憶したコンピュータ読み取り可能記録媒体であって、セルラ通信システムにおいてスケジューリング情報を送信するように構成された装置によって実行される場合に前記装置に動作を実行させ、前記命令は、
少なくとも１つのコンピュータに、前記第１のスケジューリング期間のためのスケジューリング情報を得るために、ダウンリンクで第１のスケジューリング期間において、サブフレームのブロックを復号させるコードを備え、
前記スケジューリング情報は、前記第１のスケジューリング期間にブロードキャスト・サービスまたはマルチキャスト・サービスによって使用される少なくとも１つの時間周波数ブロックの少なくとも１つの位置を示す、前記第１のスケジューリング期間のための情報を含み、
前記命令はさらに、
前記少なくとも１つのコンピュータに、第２のスケジューリング期間において、前記スケジューリング情報が変わるか否かを示すフラグを前記ダウンリンクで受信させるコードと、
前記少なくとも１つのコンピュータに、前記第２のスケジューリング期間において、前記スケジューリング情報が変わることを前記フラグが示すのであれば、前記第１のスケジューリング期間のためのスケジューリング情報を得るために、前記ダウンリンクで前記第２のスケジューリング期間において、サブフレームのブロックを復号させるコードと、
前記少なくとも１つのコンピュータに、前記第２のスケジューリング期間において、前記スケジューリング情報が変わらないと前記フラグが示すのであれば、前記第２にスケジューリング期間において前記サブフレームのブロックの復号をスキップさせるコードとを備えるコンピュータ読み取り可能記録媒体。